(57)【特許請求の範囲】
【請求項１】
赤外線データ送信手段と、
前記赤外線データ送信手段から赤外線信号を連続して送信するための連続赤外線データ送信手段とを備え、
無線信号の単発の長さが赤外線信号の単発の長さよりも短くなるとき、かつ送信機から同一の無線電波の送信データを受信し、連続で同一の赤外線データ送信処理をしているときに、予め定められた判定時間以内に前記送信機から同一の無線電波の送信データが受信できなくなった場合は、前記赤外線信号を送信中でも送信を中断もしくは無効にするリモートコントロール変換アダプタ装置。
【請求項２】
請求項１に記載のリモートコントロール変換アダプタ装置において、
前記赤外線データ送信手段は、赤外線通信方式のデータを制御すべき被制御対象物の制御部が判別できる出力と略同等の出力波形に変調して送信するためのマイコン受信用であり、前記被制御対象物の前記制御部に接続したリモートコントロール変換アダプタ装置。
【請求項３】
請求項１または請求項２に記載のリモートコントロール変換アダプタ装置において、
前記判定時間は、前記送信機から同一の無線信号の送信データの２個分以上の長さとしたリモートコントロール変換アダプタ装置。
【発明の詳細な説明】
【技術分野】
【０００１】
本発明は、家電製品やＡＶ機器等の被制御対象物を制御する電気信号を変換して処理するリモートコントロール変換アダプタ装置に関する。
【背景技術】
【０００２】
従来より、無線信号（ＲＦ）を用いた無線通信方式の送信機を使用し、この送信機と被制御対象物との間に送信機からの無線通信方式のデータを、赤外線（ＩＲ）を用いた赤外線通信方式のデータに変換して転送する無線/赤外線変換アダプタを設置し、無線通信方式の送信機で赤外線通信機能を有する被制御対象物を制御するリモートコントロール変換アダプタ装置が知られている（例えば、特許文献１参照）。
【先行技術文献】
【特許文献】
【０００３】
【特許文献１】特開２００４−３１９９９号公報（図１、請求項１）
【発明の概要】
【発明が解決しようとする課題】
【０００４】
照明器具、エアコン、テレビ、ビデオ再生装置等の家電製品やＡＶ機器等の被制御対象物には、操作性を快適にするため赤外線通信方式を使用したリモートコントロール制御が行われている。しかし、赤外線通信方式では、赤外線を通信する装置と被制御対象物等の間に遮蔽物があると赤外線信号（ＩＲ）が遮断されてしまうため、被制御対象物をうまく制御できない。また、赤外線による通信では、送信可能な角度の範囲が狭く、リモートコントロール装置と被制御対象物とが正確な向きに合わないとうまく制御できない。
【０００５】
前述した特許文献１に記載されたリモートコントロール変換アダプタ装置は、遮蔽物を介した被制御対象物に対する場合およびリモートコントロール装置と被制御対象物とが正確な向きに合わない場合においても無線通信方式を可能にできる。
【０００６】
ところで、リモートコントロール変換アダプタ装置として、ＲＦ送信機とアダプタと被制御対象物とから構成されたリモートコントロール変換アダプタ装置が提案されている。
図６に示すように、このような従来のリモートコントロール変換アダプタ装置１００は、ＲＦ送信機１０１とアダプタ１０２と被制御対象物１０３とから構成されており、ＲＦ送信機１０１は無線送信回路部１０４と、マイコン１０５と、操作ボタン１０６とを備えて構成されている。アダプタ１０２は無線受信回路部１０７と、制御部１０８と、赤外線送信回路部１０９と、メモリ１１０とを備えて構成されている。被制御対象物１０３は赤外線受信回路部１１１と、制御部１１２と、被制御部１１３とを備えて構成されている。
【０００７】
被制御部１１３は点灯回路１１４とランプ１１５とからなる照明器具である。被制御部１１３のランプ１１５は出力を１０％〜１００％まで可変でき、制御部１１２のマイコン１１６にランプ１１５の調光出力レベル情報（ランプの明るさ情報）を数段階に分けてテーブルで記憶している。マイコン１１６はテーブルより１つ選び、その調光出力をＰＷＭ（パルス幅変調）のデューティー比にして点灯回路１１４に送ることによりランプ１１５の出力状態（調光段数）を変化させることができる。
【０００８】
被制御部１１３を制御する為には、ＲＦ送信機１０１の操作ボタン１０６を押す。このことにより、ＲＦ送信機１０１のマイコン１０５より所定の信号が出力され、その信号が無線送信回路部１０４で変調されてアンテナ１１７から電波を信号媒体とする無線信号（ＲＦ）が送信される。
【０００９】
ＲＦ送信機１０１から送信された無線信号（ＲＦ）は、アダプタ１０２のアンテナ１１８を介して無線受信回路部１０７で受信されて信号コードに復調される。そして、復調された信号コードが制御部１０８に入力され、制御部１０８は入力された信号コードを家電製品協会フォーマットの赤外線信号（ＩＲ）に変換し、赤外線送信回路部１０９から赤外線を信号媒体とする赤外線信号（ＩＲ）が送信される。変換に関しては予めメモリ１１０に記憶させた内容に対応したコードを元に変換する。なお、メモリ１１０に記憶させる方法はアダプタ１０２に不図示の赤外線リモコン受信モジュールを付け、被制御対象物で以前使用されていた赤外線リモコン送信機の送信波形を読取り、その情報を記憶するという方法等があるが、ここでは事前に送信情報を記憶させていたこととする。
【００１０】
アダプタ１０２から送信された赤外線信号（ＩＲ）は、被制御対象物１０３の赤外線受信回路部１１１で受信されて赤外線信号コードに復調される。復調された信号がマイコン１１６に入力され、マイコン１１６は赤外線受信回路部１１１から入力された赤外線信号コードから被制御部１１３のランプ１１５を点灯、調光するためにランプ点灯制御信号やランプ調光制御信号を出力し、ランプ１１５を点灯、調光する。
【００１１】
次に、前述した従来のリモートコントロール変換アダプタ装置１００の動作について説明する。図７はＲＦ送信機１０１の操作ボタン１０６の調光明命令を短時間押した場合のＲＦ送信機１０１の操作ボタン１０６の状態、ＲＦ送信機１０１の出力、アダプタ１０２の出力、被制御対象物１０３の出力調光段数を表したタイムチャートである。
図７に示すように、ＲＦ送信機１０１の操作ボタン１０６をＴ３１時点から押した場合、アンテナ１１７よりＴｒｆＡの長さの無線信号（ＲＦ）を送信する。アダプタ１０２がＲＦ送信機１０１からの無線信号（ＲＦ）を受信した場合、赤外線送信回路部１０９はＴｉｒＡの長さの赤外線信号（ＩＲ）を出力する。被制御対象物１０３が赤外線信号（ＩＲ）を受信した場合、赤外線信号（ＩＲ）の命令内容に対応したランプ１１５の出力状態（調光段数）を上げる動作を行う。
【００１２】
次に、操作ボタン１０６による操作を連続で行ったときの一般的な被制御対象物１０３の連続状態変化の処理について説明する。
図８に示すように、被制御対象物１０３が操作ボタン１０６の入力（信号の長さＴｉｒＡ）を一定の間隔ＴｉｒＣ以内に連続で受信したときに、一定の時間間隔ＴｃＡで連続して被制御対象物１０３の状態を変化させる処理をする場合、状態変化を綺麗に見せるため上記の一定の時間間隔ＴｃＡは上記の操作ボタン１０６の入力信号の長さＴｉｒＡよりも短い場合がある（ＴｉｒＡ＞ＴｃＡ）。その場合も考慮し、一般的には被制御対象物１０３は上記の操作ボタン１０６の入力が、ある一定の間隔ＴｉｒＣ以内で入力され続けている場合、一定の時間間隔ＴｃＡで上記の状態の変化を行い続ける処理で動作させる。また、上記の操作ボタン１０６の入力が、ある一定の間隔ＴｉｒＣ以上間隔が空いた場合は上記の状態変化をやめる処理で動作させる。
【００１３】
ＲＦ送信機１０１の操作ボタン１０６をＴ４１時点からＴｏ１時間押し続けた場合、アンテナ１１７よりＴｒｆＡの長さの信号をＴｒｆＢの周期で送信続ける。アダプタ１０２がＲＦ送信機１０１からの無線信号（ＲＦ）を受信した場合、赤外線送信回路部１０９はＴｉｒＡの長さの赤外線信号（ＩＲ）を出力する。なお、このとき、アダプタ１０２がまだ赤外線信号（ＩＲ）を送信し終えていない状態であれば新たな無線信号（ＲＦ）を受信してもその新たな無線信号（ＲＦ）を無視する（バッファを設けて送信完了前の直前に来た信号をストックし、送信が完了した場合にストックしていた信号を赤外線信号（ＩＲ）で送信するやり方もある）。
【００１４】
赤外線信号（ＩＲ）をすべて送信終えた後、次の無線信号（ＲＦ）を受信した場合は、その無線信号（ＲＦ）に対応した赤外線信号（ＩＲ）を送信する。無線信号（ＲＦ）がＴｒｆＢの周期で送信されつづけるので、赤外線信号（ＩＲ）の送信周期もＴｉｒＢの略一定の周期で送信される（このとき、ＴｉｒＢ＜ＴｉｒＣとする）。被制御対象物１０３はＴ４２時点で、まず、初めの赤外線信号（ＩＲ）を受取り、その赤外線信号（ＩＲ）に対応した処理を行う。次に、Ｔ４３時点で２つ目の赤外線信号（ＩＲ）を受け取る。このとき、Ｔ４２時点からＴ４３時点までの時間がＴｉｒＣ以内であれば一定の時間間隔ＴｃＡで状態変化を開始する。
【００１５】
この赤外線信号（ＩＲ）はＴ４４時点，Ｔ４５時点の以後のＴ４６時点まで一定の時間間隔ＴｃＡで受信されるために状態変化を続ける。また、Ｔ４５時点においてＲＦ送信機１０１の操作ボタン１０６を離すことにより、無線信号（ＲＦ）の連続送信をやめ、Ｔ４６時点でアダプタ１０２は無線信号（ＲＦ）を受け取ることができなくなるので赤外線送信をやめる。被制御対象物１０３は最後の赤外線信号（ＩＲ）の受信をしてからＴｉｒＣの間、赤外線信号（ＩＲ）を受信するのを待っており、その間は一定の時間間隔ＴｃＡで状態変化を続けている。Ｔ４７時点でＴｉｒＣ間、赤外線信号（ＩＲ）の受信が確認できなければ状態変化をやめる。
【００１６】
しかし、このような従来のリモートコントロール変換アダプタ装置１００においては、被制御対象物１０３の動作はＲＦ送信機１０１の信号送信および被制御対象物１０３の信号受信のみの動作に、アダプタ１０２の信号受信、アダプタ１０２の無線／赤外線変換、アダプタ１０２の信号送信の動作が追加されるために、使用者による操作にタイムラグが発生してしまう。
この問題が使用者に多大な影響を及ぼしてしまう操作は、ＲＦ送信機１０１の操作ボタン１０６を押し続け、被制御対象物１０３をその間は連続的に動作させ、その後、使用者の五感により任意の出力状態でＲＦ送信機１０１の操作ボタン１０６を離し、被制御対象物１０３の連続的動作を中止させることにある。
このような操作をした場合、被制御対象物１０３は使用者が操作ボタン１０６を離したＴ４５時点（図８参照）からＴｏ２時間（図８参照）の後のＴ４７時点（図８参照）までの時間遅れてから連続的な動作を中止するために、使用者の任意の出力状態で止めることが困難になる。
【００１７】
本発明は、前述した課題を解決するためになされたものであり、その目的は、連続状態の変化中止の精度を飛躍的に向上できるリモートコントロール変換アダプタ装置を提供することにある。
【課題を解決するための手段】
【００１８】
本発明に係るリモートコントロール変換アダプタ装置は、赤外線データ送信手段と、赤外線データ送信手段から赤外線信号を連続して送信するための連続赤外線データ送信手段とを備え、無線信号の単発の長さが赤外線信号の単発の長さよりも短くなるとき、かつ送信機から同一の無線電波の送信データを受信し、連続で同一の赤外線データ送信処理をしているときに、予め定められた判定時間以内に送信機から同一の無線電波の送信データが受信できなくなった場合は、赤外線信号を送信中でも送信を中断もしくは無効にする。
【００１９】
本発明に係るリモートコントロール変換アダプタ装置は、赤外線データ送信手段は、赤外線通信方式のデータを制御すべき被制御対象物の制御部が判別できる出力と略同等の出力波形に変調して送信するためのマイコン受信用であり、被制御対象物の制御部に接続した。
【００２０】
本発明に係るリモートコントロール変換アダプタ装置は、判定時間は、送信機から同一の無線信号の送信データの２個分以上の長さとした。
【発明の効果】
【００２１】
本発明のリモートコントロール変換アダプタ装置によれば、連続状態の変化中止の精度を飛躍的に向上できるという効果を奏する。
【図面の簡単な説明】
【００２２】
【図１】本発明に係る第１実施形態のリモートコントロール変換アダプタ装置の概念の動作を説明するタイムチャート
【図２】図１のリモートコントロール変換アダプタ装置のブロック構成図
【図３】家電製品協会が規定する赤外線信号図
【図４】図１のリモートコントロール変換アダプタ装置の動作を説明するタイムチャート
【図５】本発明に係る第２実施形態のリモートコントロール変換アダプタ装置のブロック構成図
【図６】従来のリモートコントロール変換アダプタ装置のブロック構成図
【図７】従来のリモートコントロール変換アダプタ装置において操作ボタンの短時間押しの場合のタイムチャート
【図８】従来のリモートコントロール変換アダプタ装置において操作ボタンの長時間押しの場合のタイムチャート
【発明を実施するための形態】
【００２３】
以下、本発明の複数の実施形態に係るリモートコントロール変換アダプタ装置について図面を参照して説明する。
(第１実施形態)
図１に示すように、本発明に係る第１実施形態のリモートコントロール変換アダプタ装置の概念は、Ｔ１時点からＴ２時点までの間において、無線信号（ＲＦ）の単発の長さが赤外線信号（ＩＲ）の単発の長さよりも短くなる（無線信号（ＲＦ）の単発の長さ＜赤外線信号（ＩＲ）の単発の長さ）とき、かつＲＦ送信機から同一の無線電波の送信データを受信し、連続で同一の赤外線データ送信処理をしているときに、予め定められた判定時間Ｔｒｆ２以内にＲＦ送信機から同一の無線電波の送信データが受信できなくなった場合は、赤外線信号（ＩＲ）を送信中でも送信を中断もしくは無効にする制御を行う。
【００２４】
これにより、Ｔ１時点からＴ２時点までの間、使用者が送信機を使用して被制御対象物を連続状態変化させている際に、Ｔ３時点において送信機の操作が中止されることにより無線信号（ＲＦ）の送信が止まった場合、Ｔ４時点において赤外線信号（ＩＲ）送信中であっても、Ｔ５時点において、赤外線信号（ＩＲ）の送信が中止され、Ｔ５時点の以後のＴ６時点において、被制御対象物が赤外線信号（ＩＲ）を正確に受信することができないようにすることにより、連続状態の変化中止の精度を上げることができる。
【００２５】
図２に示すように、本発明に係る第１実施形態のリモートコントロール変換アダプタ装置１０は、ＲＦ送信機１１とアダプタ１２と照明器具（被制御対象物）１３とを備える。
ＲＦ送信機１１は、無線送信回路部１４と、マイコン１５と、操作ボタン群（操作ボタン）１６とを備えて構成されている。操作ボタン群１６は、点灯ボタン１７と、消灯ボタン１８と、調光明ボタン１９と、調光暗ボタン２０とを備えている。マイコン１５は操作ボタン群１６のボタンの状態を読込み、それに対応した内容の無線信号（ＲＦ）を無線送信回路部１４に送信させる。
【００２６】
アダプタ１２は、無線受信回路部２１と、マイコン２２と、赤外線送信回路部２３と備えて構成されている。マイコン２２の内部にはメモリ２４を内蔵しており、送信する赤外線送信コード情報が記憶されている。
【００２７】
照明器具１３は、赤外線受信回路部２５と、マイコン２６と、被制御部２７とを備えて構成されている。被制御部２７は点灯回路２８とランプ２９とから成る。照明器具１３のランプ２９は出力を１０％〜１００％まで可変でき、マイコン２６にランプ２９の調光出力レベル情報（ランプの明るさ情報）を６５段階に分けてテーブルで記憶している（数字の低い段数ほど暗く、数字の高い段数ほど明るくなる）。マイコン２６はテーブルより１つ選び、その調光出力をＰＷＭのデューティー比にして点灯回路２８に送ることによりランプ２９の出力状態を変化（Ｈ成分が多いほど暗くなり、Ｌ成分が多いほど明るくなる）させることができる。
【００２８】
被制御部２７を制御する為には、ＲＦ送信機１１の操作ボタン群１６のいずれかを押す。このことにより、ＲＦ送信機１１のマイコン１５より所定の信号が出力され、その信号が無線送信回路部１４で変調されてアンテナ３０から電波を信号媒体とする無線信号（ＲＦ）が送信される。ＲＦ送信機１１から送信される無線信号（ＲＦ）は、一つの信号で１０ｍｓｅｃほどであり、送信ボタン群１６のいずれかのボタンが押された場合、２０ｍｓｅｃ周期で連続する。
【００２９】
ＲＦ送信機１１から送信された無線信号（ＲＦ）は、アダプタ１２のアンテナ３１を介して無線受信回路部２１で受信されて信号コードに復調される。そして、復調された信号コードがマイコン２２に入力され、マイコン２２は入力された信号コードを家電製品協会フォーマットの赤外線信号（ＩＲ）に変換し、赤外線送信回路部２３から赤外線を信号媒体とする赤外線信号（ＩＲ）が送信される。変換に関しては、予めメモリ２４に記憶させた内容に対応したコードを元に変換する。
なお、メモリ２４に記憶させる方法は、例えば、アダプタ１２に赤外線リモコン受信モジュールを付け、被制御対象物で以前使用されていた赤外線リモコン送信機の送信波形を読取り、その情報を記憶するという方法等があるが、ここでは事前に送信情報を記憶させていたこととする。
【００３０】
ここで、家電製品協会が規定する赤外線信号（ＩＲ）について説明する。
図３に示すように、赤外線信号（ＩＲ）は、初めにリーダー、次に４０ｂｉｔのデータ、最後にトレーラーを送信するものであり、全体の長さは約９０ｍｓｅｃ程である。アダプタ１２は信号を連続して送信する場合は、周期約１５０ｍｓｅｃ間隔で送信する。連続で赤外線信号（ＩＲ）を送信中にアダプタ１２は上記の無線信号（ＲＦ）を３０ｍｓｅｃ以内に受信できなかった場合は連続送信をただちにやめる。ただし、トレーラーを送信中であれば、上記のリーダー、４０ｂｉｔのデータ、トレーラーフォーマット信号を崩すために波形を入れ、無効な信号を送信する処理を行う（例えばトレーラーの長さを規定の９．６ｍｓｅｃ未満になるように波形を入れる）。
【００３１】
図２に戻り、アダプタ１２から送信された赤外線信号（ＩＲ）は、照明器具１３の赤外線受信回路部２５で受信されて赤外線信号コードに復調される。復調された信号がマイコン２６に入力され、マイコン２６は赤外線受信回路部２５から入力された赤外線信号コードから被制御部２７のランプ２９を点灯、調光するためにランプ点灯制御信号やランプ調光制御信号が出力し、ランプ２９を点灯、調光する。照明器具１３は赤外線信号（ＩＲ）のトレーラーと次の赤外線信号（ＩＲ）のトレーラーが１７５ｍｓｅｃ以内にあれば連続で送信されたと判定する。
【００３２】
次に、リモートコントロール変換アダプタ装置１０の動作について説明する。
図４に示すように、信号コードがＲＦ送信機１１の操作ボタン群１６の調光明ボタン１９からの無線信号（ＲＦ）が単発の場合、照明器具１３はランプ２９の出力調光段数を３つ上げる。これとは異なり、Ｔ２１時点において、ＲＦ送信機１１からの無線信号（ＲＦ）が連続の場合、Ｔ２２時点において、最初の信号でランプ２９の出力段数を３つ上げ（最初は単発と判定するためである）、それから、Ｔ２３時点までの５００ｍｓｅｃの間、その出力を保ったまま待機する。５００ｍｓｅｃ経過しても信号間が１７５ｍｓｅｃ以内の連続で信号を受信していた場合、３０ｍｓｅｃ毎に出力調光段数を１段ずつ上げていく。
【００３３】
次に、Ｔ２４時点の以後のＴ２５時点においてＲＦ送信機１１の連続出力が止まった場合、無線信号（ＲＦ）の発生が終わる。アダプタ１２はＴ２５時点において信号が無いことを確認するとＴ２６時点において赤外線出力信号を出力するのを中止する。Ｔ２６時点において照明器具１３は赤外線信号（ＩＲ）を最後まで受信することができなくなり、読取ろうとしていた前の赤外線信号（ＩＲ）（一番最後に有効だった赤外線信号（ＩＲ））から１７５ｍｓｅｃ経過したＴ２７時点において出力調光段数を上げる処理をやめる。
【００３４】
従って、この第１実施形態のリモートコントロール変換アダプタ装置１０においては、連続状態変化中に使用者がＲＦ送信機１１の操作ボタン群１６の調光明ボタン１９を放した場合、最後の一波形分（１５０ｍｓｅｃ）を照明器具１３が認識しなくなるので、連続状態変化がＸｍｓｅｃ＋１７５ｍｓｅｃ−１５０ｍｓｅｃの間において行われることになり、１５０ｍｓｅｃ分は調光段数によると、５／６５より約７．７％のズレを軽減することができる。
これにより、この第１実施形態のリモートコントロール変換アダプタ装置１０においては、従来のもののように、操作ボタンを離した時点から、残りの波形の長さＸｓｅｃ、ただしＸ≦９０でアダプタの出力を最後まで行い、照明器具１３が、その出力から＋１７５ｍｓｅｃ分、状態変化動作を行った場合、調光段数によるずれが１３．８〜９．２％となるのと比べて、連続状態の変化中止の精度を飛躍的に向上できる。
【００３５】
（第２実施形態）
次に、本発明に係る第２実施形態のリモートコントロール変換アダプタ装置について説明する。
なお、以下の第２実施形態において、前述した第１実施形態と重複する構成要素や機能的に同様な構成要素については、図中に同一符号あるいは相当符号を付することによって説明を簡略化あるいは省略する。
【００３６】
図５に示すように、本発明に係る第２実施形態のリモートコントロール変換アダプタ装置５０は、ＲＦ送信機１１と照明器具１３とから構成されている。ＲＦ送信機１１は無線送信回路部１４と、マイコン１５と、操作ボタン群１６とを備えて構成されている。操作ボタン群１６は点灯ボタン１７と、消灯ボタン１８と、調光明ボタン１９と、調光暗ボタン２０とを備えている。マイコン１５は操作ボタン群１６のボタンの状態を読込み、その状態に対応した内容の無線信号（ＲＦ）を無線送信回路部１４に送信させる。ＲＦ送信機１１から送信される信号は一つの信号で１０ｍｓｅｃほどあり、操作ボタン群１６のいずれかのボタンが押された場合、２０ｍｓｅｃ周期で連続して無線信号（ＲＦ）を送信する。
【００３７】
照明器具１３は、アダプタ５１と、マイコン５２と、被制御部５３とを備えて構成されている。アダプタ５１は無線受信回路部５４と、マイコン５５とアンテナ５６とを備えて構成されている。マイコン５５の内部にはメモリ５７を内蔵しており、送信する赤外線送信コード情報が記憶されている。被制御部５３は点灯回路５８とランプ５９とから成る。照明器具１３のランプ５９は、出力を１０％〜１００％まで可変でき、マイコン５２にランプ５９の調光出力レベル情報（ランプの明るさ情報）を６５段階に分けてテーブルで記憶している（数字の低い段数ほど暗く、数字の高い段数ほど明るくなる）。マイコン５２は、上記のテーブルより１つ選び、その調光出力をＰＷＭのデューティー比にして点灯回路５８に送ることによりランプ５９の出力状態を変化させることができる（Ｈ成分が多いほど暗くなり、Ｌ成分が多いほど明るくなる）。
【００３８】
被制御部５３を制御する為には、ＲＦ送信機１１の操作ボタン群１６のいずれかを押す。このことにより、ＲＦ送信機１１のマイコン１５より所定の信号が出力され、その信号が無線送信回路部１４で変調されてアンテナ３０から電波を信号媒体とする無線信号（ＲＦ）が送信される。
ＲＦ送信機１１から送信された無線信号（ＲＦ）は、照明器具１３のアンテナ５６を介して無線受信回路部５４で受信されて信号コードに復調される。そして、復調された信号コードがマイコン５５に入力され、マイコン５５は入力された信号コードを家電製品協会フォーマットに基づいて判別できる出力と略同等の出力波形に変換して出力する。変換に関しては、予めメモリ５７に記憶させた内容に対応したコードを元に変換する。なお、メモリ５７に記憶させる方法はアダプタ５１に、赤外線リモコン受信モジュールを付け、被制御対象物で以前使用されていた赤外線リモコン送信機の送信波形を読取り、その情報を記憶するという方法等があるが、ここでは事前に送信情報を記憶させていたこととする。
【００３９】
アダプタ５１から出力された信号は、照明器具１３内においてマイコン５２に入力され、マイコン５２は赤外線信号コードから被制御部５３のランプ５９を点灯、調光するためにランプ点灯制御信号やランプ調光制御信号が出力し、ランプ５９を点灯、調光する。照明器具１３は赤外線信号（ＩＲ）のトレーラーと次の赤外線信号（ＩＲ）のトレーラーが１７５ｍｓｅｃ以内にあれば連続で送信されたと判定する。
【００４０】
従って、この第２実施形態のリモートコントロール変換アダプタ装置５０においては、第１実施形態の赤外線送信回路部２３および赤外線受信回路部２５を不要とする。
これにより、この第２実施形態のリモートコントロール変換アダプタ装置５０においては、マイコン５５が、第１実施形態の赤外線受信回路部２５から出力される信号と略同等の信号を出力することにより、既存のマイコン５２および被制御部５３の仕様を変更せず、かつ第１実施形態の赤外線送信回路部２３および赤外線受信回路部２５を使用しない少ない部品数により構成することができる。
【００４１】
（第３実施形態）
次に、本発明に係る第３実施形態のリモートコントロール変換アダプタ装置について説明する。
なお、第３実施形態は、そのブロック構成図およびタイムチャートが第１実施形態と同一であるために図示を省略する。
【００４２】
本発明の第３実施形態に係るリモートコントロール変換アダプタ装置は、アダプタが、信号を連続して送信する場合は周期約１５０ｍｓｅｃ間隔で送信する。連続で赤外線信号（ＩＲ）を送信中にアダプタは上記の無線信号（ＲＦ）を５０ｍｓｅｃ以内で受信できなかった場合は連続送信をただちにやめる処理とする。
【００４３】
従って、この第３実施形態のリモートコントロール変換アダプタ装置においては、判定時間をＲＦ送信機から同一の無線信号（ＲＦ）の送信データの２個分以上の長さとした。
これにより、この第３実施形態のリモートコントロール変換アダプタ装置においては、ＲＦ送信機からアダプタへ電波による信号を連続で送信している場合、途中でノイズ等によりアダプタが信号を読取れなくても一波形のみであれば途中で途切れずに動作させることができる。
【００４４】
なお、第１実施形態，第２実施形態，第３実施形態で使用したＲＦ送信機に内蔵される無線送信回路部，マイコン，操作ボタン群等は例示したものに限定するものではなく適宜変更が可能である。
【符号の説明】
【００４５】
１０，５０  リモートコントロール変換アダプタ装置
１１  ＲＦ送信機(送信器)
１３  照明器具（被制御対象物）
２２  マイコン
２３  赤外線送信回路部
５３  制御部
【図１】
0005424493.tif 000002
【図２】
0005424493.tif 000003
【図３】
0005424493.tif 000004
【図４】
0005424493.tif 000005
【図５】
0005424493.tif 000006
【図６】
0005424493.tif 000007
【図７】
0005424493.tif 000008
【図８】
0005424493.tif 000009